(57)【特許請求の範囲】
【請求項１】
巻取りシャフトと上下方向に連設された複数のスラットと該スラットの長さ方向両端部を案内するガイドレールとを有する巻取り式ブラインドシャッターにおいて、
各スラットの長さ方向両端面には上側の第一軸部および下側の第二軸部が突設されており、前記上側の第一軸部は吊持手段により支持されており、前記下側の第二軸部は上下方向に互いに屈曲自在に連設された複数のリンクにより回転自在に支持されており、
該吊持手段の上端部位および該連設状のリンクの上端部位はそれぞれ該巻取りシャフトに、該連設状のリンクの下端あるいは該連設状のスラット下端の座板が開口部下方の床面ないし水切りに当接した開口部全閉時での該巻取りシャフトの巻き出し方向への回転により、該吊持手段のみが降下するように連結されており、
上記開口部全閉時において、該巻取りシャフトを巻き出し方向に回転させて前記上側の第一軸部を吊持する該吊持手段のみを下降させることで、前記下側の第二軸部を中心として各スラットを傾斜させるように構成したことを特徴とする巻取り式ブラインドシャッター。
【請求項２】
請求項１において、上下方向に連設された複数のリンクの上方側に位置する複数のリンクはスラットを支持しない自由リンクであり、該複数の自由リンクは開口部全閉時においてガイドレールより上方に位置しており、前記開口部全閉時に、巻取りシャフトが巻き出し方向に回転されると、上方側の自由リンクが略直線状の姿態から屈曲して前記上側の第一軸部を吊持する吊持手段のみが下降し、前記下側の第二軸部を中心としてスラットが傾斜するように構成されていることを特徴とする巻取り式ブラインドシャッター。
【請求項３】
請求項１において、上下方向に連設された複数のリンクの吊元は巻取りシャフトに周方向に移動自在に設けてあり、該吊元は、前記開口部全閉時に、巻取りシャフトが巻き出し方向に回転されると、巻き出し方向と反対方向に移動して前記上側の第一軸部を吊持する吊持手段のみが下降し、前記下側の第二軸部を中心としてスラットが傾斜するように構成されていることを特徴とする巻取り式ブラインドシャッター。
【発明の詳細な説明】
【０００１】
【発明の属する技術分野】
本発明はスラットを傾斜（チルト）させることができる巻取り式ブラインドシャッターに関するものである。
【０００２】
【従来の技術】
従来のブラインドシャッターは、大別して折り畳み式と巻取り式の二つの方式がある。しかし、折り畳み式ではガイドレールに複雑な機構が必要であったり、巻取り式ではスラットをチルト（傾斜）させるための部品をガイドレールに組み込んだり、一度全開してから反転させてチルトモードになる複雑な操作が要求されるなど、コストＵＰの原因があった。
【０００３】
【発明が解決しようとする課題】
本発明は、上記不具合を解決するために創案されたものであって、ガイドレールに特殊な部品を設けることなく、またチルトが全開から全閉までの一連の動作の中で行なわれるようにして、複雑な機構や操作を不要とする巻取り式ブラインドシャッターを提供することを目的とするものである。
【０００４】
【課題を解決するための手段】
かかる課題を達成するために本発明が採用した技術手段は、巻取りシャフトと上下方向に連設された複数のスラットと該スラットの長さ方向両端部を案内するガイドレールとを有する巻取り式ブラインドシャッターにおいて、各スラットの長さ方向両端面には上側の第一軸部および下側の第二軸部が突設されており、前記上側の第一軸部は吊持手段により支持されており、前記下側の第二軸部は上下方向に互いに屈曲自在に連設された複数のリンクにより回転自在に支持されており、該吊持手段の上端部位および該連設状のリンクの上端部位はそれぞれ該巻取りシャフトに、該連設状のリンクの下端あるいは該連設状のスラット下端の座板が開口部下方の床面ないし水切りに当接した開口部全閉時での該巻取りシャフトの巻き出し方向への回転により、該吊持手段のみが降下するように連結されており、上記開口部全閉時において、該巻取りシャフトを巻き出し方向に回転させて前記上側の第一軸部を吊持する該吊持手段のみを下降させることで、前記下側の第二軸部を中心として各スラットを傾斜させるように構成したことを特徴とするものである。好ましくは、第一軸部は短軸であり、第二軸部は長軸である。
【０００６】
好ましい態様では、上下方向に連設された複数のリンクの上方に位置する複数のリンクはスラットを支持しない自由リンクであり、該自由リンクは開口部全閉時においてガイドレールより上方に位置しており、該巻取りシャフトの巻き出しに伴って、該複数の自由リンクが略直線状の姿態から変姿するように構成される。複数の自由リンクはガイドレールおよびスラットに規制されないので、リンクの下端が床面に当接した状態で、巻取りシャフトが巻き出し方向に回転されると、上方側の自由リンクが略直線状の姿態から屈曲（図示のものでは、湾曲状に膨出する）して、吊持手段のみが下降するので、スラットが傾斜する。
【０００７】
他の好ましい態様では、上下方向に連設された複数のリンクの吊元は巻取りシャフトに周方向に移動自在に設けてあり、該吊元は、該巻取りシャフトの巻き出しに伴って、巻き出し方向と反対方向に移動するように構成されている。さらに好ましくは、該吊元には巻取りシャフトの周方向（回転方向）に延出する長溝が設けてあり、該吊元は該長溝内に位置する螺子を介して巻取りシャフトに連結されている。該螺子の頭部は該長溝内で摺動自在であり、該吊元は該長溝及び該螺子を介して巻取りシャフトに周方向に摺動自在に設けてある。
【０００８】
【発明の実施の形態】
本発明の実施の形態を図面に基づいて説明する。巻取り式ブラインドシャッターは、好適には窓開口部に設置される。窓開口部の上方にはシャッターケース１が、窓開口部の左右両端にはガイドレール２が、窓開口部の下方には水切り板３がそれぞれ設けてある。ブラインドシャッターのシャッターカーテンは、複数のスラット４を好適な吊持手段として例示するワイヤ５と連設状のリンク６、６０により上下に連設することで構成されており、ワイヤ５およびリンク６、６０の上端側はシャッターケース１内に設けた巻取りシャフト７に連結されている。最下位のスラット４０は座板を構成しており、開口部全閉時には、座板を構成するスラット４０が水切り板６に当接するようになっている。
【０００９】
スラット４は開口部幅方向に延出する長尺材であり、断面視において緩やかな円弧形状（室内ブラインドの羽根のような流線形）を有している。スラット４の長さ方向両端部の端面において、端面の上端部位には短軸８が、端面の下端部位には長軸９がそれぞれ突設されている。また、図１１に示すように、スラット４の長さ方向両端に近接する上面には、上面より下方に延出する縦長溝４ａを設け、スラット４が傾斜した時に、縦長溝４ａがガイドレールに装着した断面視Ｌ形状で上下方向に延出する長尺状のガイド片１１に案内されるようにしてもよい。
【００１０】
短軸８はワイヤ５によって支持されている。詳しくは、ワイヤ５にはリング状の接続端子５ａが等間隔でカシメて設けてある。接続端子５ａの内径は短軸８の外径よりも大きく設計されており、接続端子５ａに短軸８を挿通させると共に、短軸８の先端側には抜け止めリング５ｂが設けてあり、短軸８は若干遊びを持たせた状態でワイヤ５に支持されている。
【００１１】
長軸９はリンク６によって回転自在に支持されている。リンク６は上下方向に延出する短尺部材であり、互いに屈曲可能（換言すると回動軸を介して回動可能あるいは揺動可能）に連設されている。リンク６の上端には凹部６ａが、下端には凸部６ｂが形成されており、凹部が凸部を受け入れた状態で水平方向に延出する回動軸６ｃによって上下に隣位のリンク同士を連結する。リンク６の本体には水平方向に延出する受入孔６ｄが形成されており、スラット端面から延出する長軸９を回転自在に受け入れてある。図示のものでは、受入孔６ｄはリンクの上下方向の長さの中央部位より若干下方部位に形成されている。上下に連設されたリンク６，６０の最上位のリンクには吊元１０が連結されている。吊元１０は巻取りシャフト７の外周面の周方向に対応する円弧面を有しており、該円弧面を介して巻取りシャフト７の周面に当接すると共に、螺子１０ａを介して巻取りシャフトに連結されている。
【００１２】
上下に連設された複数のリンクの上方の複数のリンク（図示のものでは４つ）はスラット４を支持しないと共にガイドレール２に拘束されない自由リンク６０であり、巻取りシャフト７の巻き出しに伴って、ワイヤ５が下降されるが、自由リンク６０が屈曲して巻取りシャフト７の回転移動を吸収するように構成されている。自由リンク６０はシャッターケース１内に位置して屈曲するので、屈曲した自由リンク６０が美観を損ねることもない。
【００１３】
このように構成された巻取り式ブラインドシャッターにおいて、巻取りシャフト７を巻取り方向に回転させることで、スラット４、ワイヤ５、リンク６が巻取りシャフト７に巻装されて、シャッターケース１内に収納される。巻取りシャフト７を巻き出し方向に回転させると、ワイヤ５、リンク６が繰り出されて、スラット４は下降して行き、座板４０が開口部下端の水切り板３に当接することで開口部が全閉される。
【００１４】
この状態からさらに巻取りシャフト７を巻き出し方向（閉鎖方向）に回転させると、ケース１内に位置し、ガイドレール２で規制されておらずスラット４を保持していない自由ブロックリング６０は屈曲して湾曲状に膨出するのみで、一連のリンク６の下降動作は行なわれない。一方、ワイヤ５は巻取りシャフト７から解かれてさらに下降するので、２列のスラット連結部品間（ワイヤ５と連設状のリンク）で「動きの差」が生じ、これによってスラット４のチルトが行なわれる。
【００１５】
図８乃至図１０は他の実施形態を示す図であり、同一の部材には同一の符号が付してある。連設状のリンクの吊元１０には巻取りシャフト７の回転方向（周方向）に延出する長溝１００が形成されており、螺子１０ａの頭部が長溝１００内を巻取りシャフト７の周方向に摺動自在となっている。図９に示すように、開口部全閉時には、螺子１０ａの頭部は長溝１００の基端側に位置している。この状態から、巻取りシャフト７を巻き出し方向に回転させると、連設状のリンクの下端は水切り板３に当接された状態であり、螺子１０ａの頭部が長溝１００内を先端側に向かって摺動することで、２列のスラット連結部品間（ワイヤ５と連設状のリンク）で「動きの差」が生じ、これによってスラット４のチルトが行なわれる。
【００１６】
本発明に係る巻取り式ブラインドシャッターは一つの好ましい例では電動であり、好適には窓開口部に設置される。スラットの上下動は図示しない開閉機によって行なわれ、図示しないスイッチによって巻取りシャフトを巻き出し方向に回転させてスラットを下降させることで、全閉状態を経てスラットを傾斜させることができ、したがって、スラットのチルトを全開から全閉までの一連の動作の中で行なうことができる。また、チルトの角度調整は、例えば押切スイッチ等によって巻取りシャフトを少し回転させることで行なってもよい。
【００１７】
本発明は、ワイヤと連設状のリンクの２列の連結機構の動作でスラットの傾斜を行なうものであり、構造、メンテナンス、操作が簡単である。スラット、ワイヤ、リンクは全て巻取りシャフトに巻装されるので、装置の納まりも良好である。
【００１８】
吊持手段としてはワイヤを例示して説明したが、本発明で採用され得る吊持手段はワイヤに限定されるものではなく、他の紐状体やリンク等であってもよい。また、巻取り式ブラインドシャッターは電動式に限らず、例えば、クランク棒の回転操作で開閉する手動式ブラインドシャッターにも適用できる。
【図面の簡単な説明】
【図１】本発明に係る巻取り式ブラインドシャッターの部分斜視図であり、スラットが降下する状態を示している。
【図２】 本発明に係る巻取り式ブラインドシャッターの部分斜視図であり、スラットが降下して座板が水切りに当接した状態を示している。
【図３】本発明に係る巻取り式ブラインドシャッターの部分斜視図であり、図２の状態からさらに巻取りシャフトを巻き出し方向に回転させて、スラットを傾斜させた状態を示している。
【図４】本発明に係る巻取り式ブラインドシャッターの縦断面図であり、開口部全閉状態を示している。
【図５】本発明に係る巻取り式ブラインドシャッターの縦断面図であり、スラットチルト状態を示している。
【図６】本発明に係る巻取り式ブランドシャッターの横断面図である。
【図７】（ａ）はスラットとガイドレールとの取り合いを示す断面図であり、二点鎖線はチルトしたスラットを示している。（ｂ）はスラットの長さ方向端部の一方を拡大して示す正面図および側面図である。
【図８】他の実施形態に係る巻取り式ブラインドシャッターの部分斜視図であり、スラットが降下する状態を示している。
【図９】 他の実施形態に係る巻取り式ブラインドシャッターの部分斜視図であり、スラットが降下して座板が水切りに当接した状態を示している。
【図１０】他の実施形態に係る巻取り式ブラインドシャッターの部分斜視図であり、図９の状態からさらに巻取りシャフトを巻き出し方向に回転させて、スラットを傾斜させた状態を示している。
【図１１】図７と類似の図面であって、他の実施形態に係るスラットの構成を示している。
【符号の説明】
２    ガイドレール
４    スラット
５    ワイヤ
６    リンク
６０  自由リンク
７    巻取りシャフト
８    短軸
９    長軸
１０  吊元
１００  長溝
【図１】
0004214503.tif 000002
【図２】
0004214503.tif 000003
【図３】
0004214503.tif 000004
【図４】
0004214503.tif 000005
【図５】
0004214503.tif 000006
【図６】
0004214503.tif 000007
【図７】
0004214503.tif 000008
【図８】
0004214503.tif 000009
【図９】
0004214503.tif 000010
【図１０】
0004214503.tif 000011
【図１１】
0004214503.tif 000012